(57)【要約】【課題】光ディスク装置の起動時間が短い装置及び制御方法を提供する。【解決手段】光ディスク１０１に記録された情報信号を再生する再生指令を光ディスク装置が受信し、スピンドルモータ１０９の回転手段１１０、光ヘッド１０２のレーザ駆動、フォーカス駆動手段１０５及びトラッキング制御手段１０８をコントロール手段１１６で制御し、再生起動手順記憶手段１１８に格納した信号に基づき再生系の最適化を行った後、記録起動手順記憶手段１１９に格納した信号に基づき記録系の最適化と並行して、光ディスク１０１に記録された情報信号をデータ格納手段１１７に格納し、記録系の最適化終了と同時に実再生を行う。【選択図】  図１
2004227615.tif 000002
【特許請求の範囲】
【請求項１】
光ディスク媒体に記録する所望の情報信号または光ディスク媒体に記録された情報信号の何れかを記憶する情報信号記憶手段と、
記録再生手段で前記光ディスク媒体を再生する際の再生起動手順を記憶する再生起動手順記憶手段と、
前記記録再生手段で前記光ディスク媒体に記録する際の記録起動手順を記憶する記録起動手順記憶手段と、
前記再生起動手順記憶手段、前記記録起動手順記憶手段および前記情報信号記憶手段を制御するコントロール手段とを備え、
前記コントロール手段を介して前記記録再生手段に入力される再生指令または記録指令の何れかに応じて、前記コントロール手段が前記記録再生手段の起動手順を制御することを特徴とする光ディスク装置。
【請求項２】
光ディスク媒体から再生する情報信号を記憶する情報信号記憶手段と、
記録再生手段で前記光ディスク媒体を再生する際の再生起動手順を記憶する再生起動手順記憶手段と、
前記記録再生手段で前記光ディスク媒体に所望の情報信号を記録する際の記録起動手順を記憶する記録起動手順記憶手段と、
前記再生起動手順記憶手段、前記記録起動手順記憶手段および前記情報信号記憶手段を制御するコントロール手段とを備え、
前記記録再生手段への再生指令に応じて、前記記録再生手段が前記光ディスク媒体を再生するとき、前記再生手順記憶手段が記憶した再生起動手順で前記記録再生手段で再生できる状態にした後、前記光ディスク媒体からの情報信号を前記情報信号記憶手段に記憶しつつ、記録起動手順記憶手段に記憶した記録起動手順で前記記録再生手段が記録できる状態にした後、前記情報信号記憶手段に記憶した前記情報信号を再生することを特徴とする光ディスク装置。
【請求項３】
光ディスク媒体に記録する所望の情報信号を記憶する情報信号記憶手段と、
記録再生手段で前記光ディスク媒体を再生する際の再生起動手順を記憶する再生起動手順記憶手段と、
前記記録再生手段で前記光ディスク媒体に所望の情報信号を記録する際の記録起動手順を記憶する記録起動手順記憶手段と、
前記再生起動手順記憶手段、前記記録起動手順記憶手段および前記情報信号記憶手段を制御するコントロール手段とを備え、
前記記録再生手段への記録指令に応じて、前記記録再生手段が前記光ディスク媒体に所望の情報信号を記録するとき、前記情報信号記憶手段に前記情報信号の記憶を行いつつ、前記再生起動手順記憶手段が記憶した再生起動手順で前記記録再生手段で前記ディスク媒体に記録した情報信号を再生できる状態にし、前記記録起動手順記憶手段で記憶した記録起動手順で前記記録再生手段が所望の情報信号を記録できる状態にした後、前記情報信号記憶手段に記憶したデータを前記光ディスク媒体に記録することを特徴とする光ディスク装置。
【請求項４】
光ディスク媒体に所望の情報信号を記録または光ディスク媒体に記録された情報信号を再生する記録再生部に記録指令または再生指令を送信すると共に、前記光ディスク媒体に前記情報信号を記録または前記光ディスク媒体に記録された前記情報信号を再生する前記記録再生部を制御する制御部を備える光ディスク装置を起動する方法であって、
前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク装置に備える情報信号記憶部に、前記光ディスク媒体に記録する情報信号または前記光ディスク媒体に記録された情報信号の何れかを格納するとともに、前記光ディスク装置に備える記録起動手順記憶部から記録起動手順を呼び出し、前記記録起動手順に従い前記光ディスク媒体の記録に応じた状態に前記制御部が前記記録再生部を制御することを特徴とする光ディスク装置の起動方法。
【請求項５】
光ディスク媒体に所望の情報信号を記録または光ディスク媒体に記録された情報信号を再生する記録再生部に再生指令を送信すると共に、前記光ディスク媒体に前記情報信号を記録または前記光ディスク媒体に記録された前記情報信号を再生する前記記録再生部を制御する制御部を備える光ディスク装置を起動する方法であって、
前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク媒体から再生する情報信号を前記光ディスク装置に備える情報信号記憶部への格納と並行して、前記光ディスク装置に備える記録起動手順記憶部から記録起動手順を呼び出し、前記記録起動手順に従い前記光ディスク媒体の記録に応じた状態に前記制御部が前記記録再生部を制御することを特徴とする光ディスク装置の起動方法。
【請求項６】
光ディスク媒体に所望の情報信号を記録または光ディスク媒体に記録された情報信号を再生する記録再生部に記録指令を送信すると共に、前記光ディスク媒体に前記情報信号を記録または前記光ディスク媒体に記録された前記情報信号を再生する前記記録再生部を制御する制御部を備える光ディスク装置を起動する方法であって、
前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク媒体に記録する情報信号を前記光ディスク装置に備える情報信号記憶部への格納と並行して、前記光ディスク装置に備える記録起動手順記憶部から記録起動手順を呼び出し、前記記録起動手順に従い前記光ディスク媒体の記録に応じた状態に前記制御部が前記記録再生部を制御することを特徴とする光ディスク装置の起動方法。
【請求項７】
光ディスク媒体に所望の情報信号を記録または光ディスク媒体に記録された情報信号を再生する記録再生部に記録指令を送信すると共に、前記光ディスク媒体に前記情報信号を記録または前記光ディスク媒体に記録された前記情報信号を再生する前記記録再生部を制御する制御部を備える光ディスク装置を駆動する方法であって、
光ディスク媒体に記録する情報信号を前記光ディスク装置が備える情報信号記憶部への格納と並行して、前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク装置に備える記録起動手順記憶部から記録起動手順を呼び出し、前記記録起動手順に従い前記光ディスク媒体の記録に応じた状態に前記制御部が前記記録再生部を制御することを特徴とする光ディスク装置の起動方法。
【発明の詳細な説明】
【０００１】
【発明の属する技術分野】
本発明は収束した光ビームを用いてディスク媒体に信号を記録又は再生する光ディスク装置及びその制御方法に関する。
【０００２】
【従来の技術】
近年、映像信号又は音声信号等のデータを記録再生する光ディスク装置の開発が盛んに行われ、且つその需要は伸びている。これらの光ディスク装置においては、光ディスク上のトラック（グルーブ又はランド）に光ヘッドの光ビームを照射し、トラックと光ヘッドとの間の位置誤差を調整しながら、情報の記録再生が行われる。また、これらの機器において起動時の速い応答が市場から要望されている。
【０００３】
この起動時の高速応答に関しては、例えば特許文献１がある。特許文献１に開示の光ディスク記録装置のブロック図を技術を図８に示す。図中１０１は光ディスク媒体である光ディスク、１０２は光ヘッド、１０３はフォーカスエラー検出手段、１０４はフォーカス制御手段、１０５はフォーカスアクチュエータ駆動手段、１０６はトラッキングエラー検出手段、１０７はトラッキング制御手段、１０８はトラッキングアクチュエータ駆動手段、１０９はスピンドルモータ、１１０はスピンドルモータ駆動手段、１１１はスピンドルモータ回転数検出手段、１１２はスピンドルモータ制御手段、１１３はトラバースモータ制御手段、１１４はトラバースモータ駆動手段、１１５はトラバースモータで、光ヘッド１０２、フォーカスエラー検出手段１０３、フォーカス制御手段１０４、フォーカスアクチュエータ駆動手段１０５、トラッキングエラー検出手段１０６、トラッキング制御手段１０７、トラッキングアクチュエータ手段１０８、スピンドルモータ１０９、スピンドルモータ駆動手段１１０、スピンドルモータ回転数検出手段１１１、スピンドルモータ制御手段１１２、トラバースモータ制御手段１１３、トラバースモータ駆動手段１１４お呼びとらバースモータ１１５が記録再生手段を構成する。なお、１１６はコントロール手段、１１７は記録するデータを記憶するデータ記憶手段である。
【０００４】
次に、特許文献１に開示の各構成要素の動作について説明する。スピンドルモータ駆動手段１１０は、スピンドルモータ１０９を回転させ光ディスク１０１を回転させる。スピンドルモータ１０９の回転数は、スピンドルモータ回転数検出手段１１１で検出し、コントロール手段１１６が目標回転数で回転するようにスピンドルモータ制御手段１１２を介して制御する。
【０００５】
一方、光ヘッド１０２は、光ディスク１０１に螺旋状に設けられた約１μｍピッチの情報トラックに収束させた光スポットを照射し、光ディスク装置は反射光により光スポットを制御するとともに該情報トラックに情報を記録し、又は該情報トラックから情報を再生する。
【０００６】
また、フォーカスエラー検出手段１０３は、光ヘッド１０２が検知した光ディスク１０１からの反射光を入力してフォーカスエラー（収束状態からのずれ量）を検出する。フォーカス制御手段１０４は、フォーカス制御系の位相を補償する位相補償器（不図示）を有し、フォーカスエラーが小さくなるようにフォーカスアクチュエータ駆動手段１０５を制御し、フォーカスアクチュエータ駆動手段１０５は、光ヘッド１０２が内蔵するフォーカスアクチュエータ（不図示）を駆動する。
【０００７】
また、トラッキング制御手段１０７は、情報トラックの幅方向（以下、ラジアル方向と称す）に約±０．１μｍの精度で、光スポットがディスク媒体の情報トラックにオントラックするように、トラッキングアクチュエータを制御する。トラッキングエラー検出手段１０６は、光ヘッド１０２が検知した光ディスク１０１からの反射光を入力しトラッキングエラー（情報トラックと光スポットとのトラックずれ量）を検出する。トラッキング制御手段１０７はトラッキング制御系の位相を補償する位相補償器（不図示）を有し、トラッキングエラー信号を入力とし、位相補償してトラッキングエラーが小さくなるようにトラッキングアクチュエータ駆動手段１０８を制御する。トラッキングアクチュエータ駆動手段１０８は、光ヘッド１０２が内蔵するトラッキングアクチュエータ（不図示）を駆動する。
【０００８】
また、トラバースモータ１１５は、光ヘッド１０２を光ディスク１０１のラジアル方向に移動させ、光ヘッド１０２の中でトラッキングアクチュエータが対物レンズを駆動するだけでは対応できない範囲の大きいトラック間を移動するアクセス動作に使われ、トラバースモータ１１５の制御はトラバースモータ制御手段１１３がトラバースモータ駆動手段１１４に対して行う。
【０００９】
コントロール手段１１６は、光ディスク装置の操作者が操作パネル（図示せず）を通じて入力する記録指令に基づいて、スピンドルモータ制御手段１１２、フォーカス制御手段１０４、トラッキング制御手段１０７、トラバースモータ制御手段１１３を制御すると共に、光ディスク１０１を正確に記録するためのフォーカス最適位置、トラッキング最適位置等の制御係数を学習し制御する。なお、データ記憶手段１１７は光ディスクへ記録する情報信号を記憶する。
【００１０】
次に、操作者が記録指令を行ったときの従来の光ディスク装置の起動手順を説明する。図９は従来の光ディスク装置の起動を説明する流れ図である。記録指令によりデータ記憶手段１１７に記録する情報信号の格納（Ｓ９０１）と並行して、光ディスク１０１を回転駆動するスピンドルモータ１０９の回転（Ｓ９０２）、光ヘッド１０２のレーザ光源の制御系の駆動（Ｓ９０３）、光ヘッド１０２のフォーカス制御系の駆動（Ｓ９０４）とトラッキング制御系の駆動（Ｓ９０５）、光ディスク１０１の再生に対する最適な光ヘッド１０２の位置制御の学習（Ｓ９０６）及び光ディスク１０１の記録に対する最適な光ヘッド１０２の位置制御の学習（Ｓ９０７）を行う。ここで、記録指令に対してもＳ９０６で再生系の学習を行うのは、例えば光ディスク１０１に光ヘッド１０２が正確な位置に存在している検証、光ディスク１０１に記録した信号が正しく記録されたことの検証、光ディスク１０１の情報層の未記録領域を探索するため管理情報の再生等は再生系を用いるためである。
【００１１】
以上の流れの後光ディスク装置は記録可能状態となり、データ記憶手段１１７に格納した記録データを光ディスク１０１の情報層に記録を行う。このような構成により、スピンドルモータ１０９の回転起動Ｓ９０２から記録系の学習Ｓ９０７までの間にデータ記憶手段１１７に光ディスク１０１に記録するデータを格納する構成であるため、光ディスク装置が記録可能状態となったと同時に光ディスク１０１に記録することができ、実記録までの光ディスク装置の起動時間を短縮することができる。
【００１２】
【特許文献１】
特開２００１−２１０００２号公報（段落番号００２３、同００３１及び図１）
【００１３】
【発明が解決しようとする課題】
上述の光ディスク装置の起動は、スピンドルモータの起動（Ｓ９０２）、光ヘッドの各種制御系の駆動（Ｓ９０３，Ｓ９０４，Ｓ９０５）、再生系の学習（Ｓ９０６）及び記録系の学習（Ｓ９０７）を行った後で、光ディスク１０１に対する実記録動作を開始できる。しかしながら、上述の各ステップで実際の光ディスク装置の起動に際して最も時間を要するステップは、再生系の学習（Ｓ９０６）と記録系の学習（Ｓ９０７）である。
【００１４】
再生系の学習（Ｓ９０６）の一例としてフォーカス制御を図６を参照して説明する。図６は、光ビームの再生時の最適なフォーカス位置と現時点における光ビームの光ディスク１０１の情報層との距離に対する再生信号の品質（データエラー率）の関係を示した図である。再生における光ヘッド１０２の適正な位置ａ点（合焦位置）を把握するためには、例えば光ヘッド１０２を光ディスク１０１の情報層に近づけ（図６のフォーカス位置の右側から左側）ながらフォーカスエラー信号をフォーカスエラー検出手段１０３で検出し、フォーカスエラー信号の振幅が小さくなり次にフォーカスエラー信号の振幅が大きくなり始める点が合焦位置ａ点となる。
【００１５】
実際的には、フォーカス制御手段１０４で現在の光ヘッド１０２と情報層との距離に応じたフォーカスエラー信号を検出し、次に光ヘッド１０２を情報層に対して近づけるか遠ざけることにより光ヘッド１０２と情報層との距離を変化させフォーカスエラー信号を検出し、その差分の符号に応じて光ヘッド１０２と情報層との距離を近づけるか遠ざけ、その時点でのフォーカスエラー信号を検出し前回のフォーカスエラー信号と差分を算出する制御を繰り返し、合焦位置に漸近させて行きａ点を求める。
【００１６】
この再生系の学習により得られた合焦位置ａ点をコントロール手段１１６が記憶し、フォーカス制御手段１０４に対し再生時のフォーカス位置をａ点にする制御を行う。なお、再生系の学習を行った後情報トラックに光ビームを追従させると、ａ点では再生信号がほぼ最大となるため良好な再生信号が得られる。
【００１７】
また、記録系の学習（Ｓ９０７）の一例としてフォーカス制御を図７を参照して説明する。図７は、光ビームの記録時の最適なフォーカス位置と現時点における光ビームの光ディスク１０１の情報層との距離に対する記録信号の品質（データエラー率）の関係を示した図である。記録における光ヘッド１０２の適正な位置ｂ点（合焦位置）を把握するためには、例えば光ヘッド１０２を光ディスク１０１の情報層に近づけ（図７のフォーカス位置の右側から左側）ながらフォーカスエラー信号をフォーカスエラー検出手段１０３で検出し、フォーカスエラー信号の振幅が小さくなり次にフォーカスエラー信号の振幅が大きくなり始める点が合焦位置ｂ点となる。
【００１８】
実際的には、フォーカス制御手段１０４で現在の光ヘッド１０２と情報層との距離に応じたフォーカスエラー信号を検出し、次に光ヘッド１０２を情報層に対して近づけるか遠ざけることにより光ヘッド１０２と情報層との距離を変化させフォーカスエラー信号を検出し、その差分の符号に応じて光ヘッド１０２と情報層との距離を近づけるか遠ざけ、その時点でのフォーカスエラー信号を検出し前回のフォーカスエラー信号と差分を算出する制御を繰り返し、合焦位置に漸近させて行きｂ点を求める。
【００１９】
このように記録系の学習も一見再生系の学習と同一であり、再生系の学習で事足りるよう見受けれるが、実際には再生系の合焦位置ａ点と記録系の合焦位置ｂ点とでは図７に示したように異なる。ａ点とｂ点とが異なる理由は、光ヘッド１０２及び／またはフォーカスエラー検出手段１０３やフォーカス制御手段１０４等の回路系のオフセットが生じるためである。従って、再生系の学習を終えても記録系の学習も同様に行うことが必須である。
【００２０】
このように、光ディスク装置で光ディスク１０１に記録する際の装置の起動時には再生系の学習及び記録系の学習の双方が必須であり、しかも再生系の学習及び記録系の学習に起動に要する殆どの時間が費やされ、光ディスク装置で光ディスク１０１に実際に記録可能となるまでの起動時間が長い（光ディスク装置に対応できる光ディスクの種類、種類数、または光ディスク装置自体によって異なるが、一般的に２分〜５分程度）という課題は、単に記録する情報信号をデータ記憶手段１１７に格納するだけの従来技術では解決し得てはいなかった。
【００２１】
本発明は、係る従来の課題に鑑みなされたもので、光ディスク装置の実起動時間を短縮し、操作者に待ち時間を徒に強要することを低減できる装置を提供することを目的とする。
【００２２】
【課題を解決するための手段】
上記課題を解決するため本発明の光ディスク装置は、光ディスク媒体に記録する所望の情報信号または光ディスク媒体に記録された情報信号の何れかを記憶する情報信号記憶手段と、記録再生手段で前記光ディスク媒体を再生する際の再生起動手順を記憶する再生起動手順記憶手段と、前記記録再生手段で前記光ディスク媒体に記録する際の記録起動手順を記憶する記録起動手順記憶手段と、前記再生起動手順記憶手段、前記記録起動手順記憶手段および前記情報信号記憶手段を制御するコントロール手段とを備え、前記コントロール手段を介して前記記録再生手段に入力される再生指令または記録指令の何れかに応じて、前記コントロール手段が前記記録再生手段の起動手順を制御する構成を備える。
【００２３】
また、光ディスク媒体から再生する情報信号を記憶する情報信号記憶手段と、記録再生手段で前記光ディスク媒体を再生する際の再生起動手順を記憶する再生起動手順記憶手段と、前記記録再生手段で前記光ディスク媒体に所望の情報信号を記録する際の記録起動手順を記憶する記録起動手順記憶手段と、前記再生起動手順記憶手段、前記記録起動手順記憶手段および前記情報信号記憶手段を制御するコントロール手段とを備え、前記記録再生手段への再生指令に応じて、前記記録再生手段が前記光ディスク媒体を再生するとき、前記再生手順記憶手段が記憶した再生起動手順で前記記録再生手段で再生できる状態にした後、前記光ディスク媒体からの情報信号を前記情報信号記憶手段に記憶しつつ、記録起動手順記憶手段に記憶した記録起動手順で前記記録再生手段が記録できる状態にした後、前記情報信号記憶手段に記憶した前記情報信号を再生する構成を有する。
【００２４】
また、光ディスク媒体に記録する所望の情報信号を記憶する情報信号記憶手段と、記録再生手段で前記光ディスク媒体を再生する際の再生起動手順を記憶する再生起動手順記憶手段と、前記記録再生手段で前記光ディスク媒体に所望の情報信号を記録する際の記録起動手順を記憶する記録起動手順記憶手段と、前記再生起動手順記憶手段、前記記録起動手順記憶手段および前記情報信号記憶手段を制御するコントロール手段とを備え、前記記録再生手段への記録指令に応じて、前記記録再生手段が前記光ディスク媒体に所望の情報信号を記録するとき、前記情報信号記憶手段に前記情報信号の記憶を行いつつ、前記再生起動手順記憶手段が記憶した再生起動手順で前記記録再生手段で前記ディスク媒体に記録した情報信号を再生できる状態にし、前記記録起動手順記憶手段で記憶した記録起動手順で前記記録再生手段が所望の情報信号を記録できる状態にした後、前記情報信号記憶手段に記憶したデータを前記光ディスク媒体に記録する構成を有する。
【００２５】
また、本発明の起動方法は、光ディスク媒体に所望の情報信号を記録または光ディスク媒体に記録された情報信号を再生する記録再生部に記録指令または再生指令を送信すると共に、前記光ディスク媒体に前記情報信号を記録または前記光ディスク媒体に記録された前記情報信号を再生する前記記録再生部を制御する制御部を備える光ディスク装置を起動する方法であって、
前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク装置に備える情報信号記憶部に、前記光ディスク媒体に記録する情報信号または前記光ディスク媒体に記録された情報信号の何れかを格納するとともに、前記光ディスク装置に備える記録起動手順記憶部から記録起動手順を呼び出し、前記記録起動手順に従い前記光ディスク媒体の記録に応じた状態に前記制御部が前記記録再生部を制御する構成を有する。
【００２６】
また、光ディスク媒体に所望の情報信号を記録または光ディスク媒体に記録された情報信号を再生する記録再生部に再生指令を送信すると共に、前記光ディスク媒体に前記情報信号を記録または前記光ディスク媒体に記録された前記情報信号を再生する前記記録再生部を制御する制御部を備える光ディスク装置を起動する方法であって、
前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク媒体から再生する情報信号を前記光ディスク装置に備える情報信号記憶部への格納と並行して、前記光ディスク装置に備える記録起動手順記憶部から記録起動手順を呼び出し、前記記録起動手順に従い前記光ディスク媒体の記録に応じた状態に前記制御部が前記記録再生部を制御する構成を有する。
【００２７】
また、光ディスク媒体に所望の情報信号を記録または光ディスク媒体に記録された情報信号を再生する記録再生部に記録指令を送信すると共に、前記光ディスク媒体に前記情報信号を記録または前記光ディスク媒体に記録された前記情報信号を再生する前記記録再生部を制御する制御部を備える光ディスク装置を起動する方法であって、
前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク媒体に記録する情報信号を前記光ディスク装置に備える情報信号記憶部への格納と並行して、前記光ディスク装置に備える記録起動手順記憶部から記録起動手順を呼び出し、前記記録起動手順に従い前記光ディスク媒体の記録に応じた状態に前記制御部が前記記録再生部を制御する構成を有する。
【００２８】
また、光ディスク媒体に所望の情報信号を記録または光ディスク媒体に記録された情報信号を再生する記録再生部に記録指令を送信すると共に、前記光ディスク媒体に前記情報信号を記録または前記光ディスク媒体に記録された前記情報信号を再生する前記記録再生部を制御する制御部を備える光ディスク装置を駆動する方法であって、
光ディスク媒体に記録する情報信号を前記光ディスク装置が備える情報信号記憶部への格納と並行して、前記光ディスク装置に備える再生起動手順記憶部から再生起動手順を呼び出し、前記再生起動手順に従い下記（１）〜（４）の各駆動及び制御を行い、
（１）モータ部による光ディスク媒体の回転駆動、
（２）前記光ディスク媒体に対して情報信号の授受を行う光ヘッドに備える光源の駆動、
（３）前記光ディスク媒体の主面に直交する方向、前記光ディスク媒体のラジアル方向への前記光ヘッドの駆動、
（４）前記光ディスク媒体の再生に応じた状態に前記記録再生部の制御、
前記光ディスク装置に備える記録起動手順記憶部から記録起動手順を呼び出し、前記記録起動手順に従い前記光ディスク媒体の記録に応じた状態に前記制御部が前記記録再生部を制御する構成を有する。
【００２９】
【発明の実施の形態】
（実施の形態１）
以下に、本発明の一実施形態を図面を参照しながら説明する。図１は本発明の一実施形態の光ディスク装置の構成図であり、１０１は光ディスク媒体である光ディスク、１０２は光ヘッド、１０３はフォーカスエラー検出手段、１０４はフォーカス制御手段、１０５はフォーカスアクチュエータ駆動手段、１０６はトラッキングエラー検出手段、１０７はトラッキング制御手段、１０８はトラッキングアクチュエータ駆動手段、１０９はスピンドルモータ、１１０はスピンドルモータ駆動手段、１１１はスピンドルモータ回転数検出手段、１１２はスピンドルモータ制御手段、１１３はトラバースモータ制御手段、１１４はトラバースモータ駆動手段、１１５はトラバースモータで、光ヘッド１０２、フォーカスエラー検出手段１０３、フォーカス制御手段１０４、フォーカスアクチュエータ駆動手段１０５、トラッキングエラー検出手段１０６、トラッキング制御手段１０７、トラッキングアクチュエータ手段１０８、スピンドルモータ１０９、スピンドルモータ駆動手段１１０、スピンドルモータ回転数検出手段１１１、スピンドルモータ制御手段１１２、トラバースモータ制御手段１１３、トラバースモータ駆動手段１１４お呼びとらバースモータ１１５が記録再生手段を構成する。なお、１１６はコントロール手段、１１７は光ディスク装置で再生する情報信号または光ディスク装置で記録する情報信号の何れかを一時的に格納するデータ記憶手段、１１８は再生起動手順記憶手段、１１９は記録起動手順記憶手段である。再生起動手順記憶手段１１８は再生時の起動手順を記憶し、再生動作を行うための起動手順は、例えば再生系の学習値を求める手順、再生用学習値（例えば図６のａ点）及び再生のレーザーパワー等である。また、記録起動手順記憶手段１１９は記録時の起動手順を記憶し、記録動作を行うための起動手順は、例えば記録系学習値を求める手順、記録用学習値（例えば図７のｂ点）及び記録のレーザーパワー等である。なお、本実施形態において、前述の従来例と同じ構成は同じ符号を付与し、動作説明は割愛する。
【００３０】
ここで、光ディスク装置の操作者が、操作パネル（不図示）を通じて再生指令を指示した時の光ディスク装置の起動手順の一例を図２に示す。光ディスク装置が再生再生指令を受けると、コントロール手段１１６は再生起動手順記憶手段１１８に格納している再生起動手順を呼び出し（Ｓ２０１）、スピンドルモータ制御手段１１２に制御信号を送信しスピンドルモータ駆動手段１１０の駆動によりスピンドルモータ１０９を駆動（Ｓ２０２）する。次に、光ヘッド１０２に内蔵する不図示のレーザ光源を発光（Ｓ２０３）させ、光ディスク１０１の情報層に光ビームを照射する。
【００３１】
次に、コントロール手段１１６はフォーカス制御手段１０４に信号を送信しフォーカスアクチュエータ駆動手段１０５の駆動（Ｓ２０４）を行い、光スポットを光ディスク１０１の情報層に収束させる。次に、コントロール手段１１６はトラッキング制御手段１０７に信号を送信しトラッキング駆動手段１０８の駆動（Ｓ２０５）を行い、光スポットを光ディスク１０１の情報トラック（不図示）に追従させる。しかる後、コントロール手段１１６は光ヘッド１０２に備える対物レンズ（不図示）と光ディスク１０１の情報層との間隙を、例えば図６のａ点にする再生系の最適化（Ｓ２０６）を行う。
【００３２】
次に、本実施形態の光ディスク装置は、光ディスク１０１に対し情報信号を記録する記録系も備えているため、コントロール手段１１６が記録起動手順記憶手段１１９に格納している記録駆動手順を呼び出し（Ｓ２０７）、例えば図７のｂ点をフォーカス制御手段１０４に入力すると共に、光ディスク１０１に既に記録されている情報信号を最適な再生系の状態で再生することができるため、記録手順呼び出しステップ（Ｓ２０７）及び記録系最適化ステップ（Ｓ２０８）に並行して光ディスク１０１に記録されている所定の情報信号をデータ記憶手段１１７に格納（Ｓ２０９）を行う。こうして、光ディスク装置の起動手順の終了と共に光ディスク１０１に記録された情報信号を不図示の表示手段に表示する。
【００３３】
本実施形態の構成によると、再生系の最適化情報を記録系の最適化にも流用できるため、記録系の最適化ステップ（Ｓ２０８）に要する最適化時間を短縮することができ、光ディスク装置の起動から光ディスク１０１に記録された情報信号を表示手段に実再生するまでの起動時間を、従来の約半分に低減できる効果がある。なお、上記説明では、スピンドルモータ起動ステップ（Ｓ２０２）からトラッキング駆動ステップ（Ｓ２０５）まではコントロール手段１１６による制御を行う例を挙げたが、再生起動手順記憶手段１１８に格納する再生起動手順に応じて制御すると、さらに起動期間の短縮が図られ、従来技術の半分以下にすることができる。また、本実施形態では、例えば同一ゾーン内では再生系の最適化及び記録系の最適化条件が同一の場合ではゾーンが異なる度に再生系の最適化を行い記録系の最適化の間に当該ゾーンに記録された情報信号をデータ記憶手段１１７に順次格納する等を行えるため、情報信号を途切れなく再生できる効果もある。
【００３４】
なお、図２に示したフローでは、再生系の最適化と記録系の最適化とを再生途中で行う場合には、モータ起動ステップ（Ｓ２０２）、レーザ駆動ステップ（Ｓ２０３）、フォーカス駆動ステップ（Ｓ２０４）、及びトラッキング駆動ステップ（Ｓ２０５）をその都度繰り返すことになるが、再生途中で再生系の最適化及び記録系の最適化を行う場合には、再生途中であるという情報によって上記４つのステップを省略するアルゴリズムを組むと、再生系の最適化及び記録系の最適化に要する時間がさらに短縮できる。
【００３５】
（実施の形態２）
次に、光ディスクの操作者が再生指令を指示した時の、別の実施形態を図１及び図３を参照して説明する。なお、本実施形態に適用する光ディスク装置の構成は実施形態１と同一であるため、光ディスク装置の構成の説明は割愛する。本実施形態において異なる点は、再生起動手順を再生起動手順記憶手段１１８からコントロール手段１１６が呼び出すステップ（Ｓ３０５）を、トラッキング駆動ステップ（Ｓ３０４）の後にした点である。すなわち、本実施形態では操作者の指令によらずコントロール手段１１６が、スピンドルモータ１０９が所定の回転数となるように、スピンドルモータ回転数検出手段１１１の検出結果に応じて、スピンドルモータ制御手段１１２がスピンドルモータ駆動手段１１０を制御し、スピンドルモータ１０９を回転させる（Ｓ３０１）。次に、コントロール手段１１６は、光ディスク１０１の情報トラックを光ヘッド１０２が追従できる程度に、フォーカスエラー検出手段１０３の検出結果に応じてフォーカス制御手段１０４がフォーカスアクチュエータ駆動手段１０５を制御するフォーカス駆動ステップ（Ｓ３０４）を行う。
【００３６】
次に、コントロール手段１１６はトラッキングエラー検出手段１０６の検出結果に応じてトラッキング制御手段１０７がトラッキングアクチュエータ駆動手段１０８を駆動するステップ（Ｓ３０４）を行った後、コントロール手段１１６が再生起動手順記憶手段１１８から再生起動手順を呼び出し（Ｓ３０５）、実施形態１と同様に再生系の最適化ステップ（Ｓ３０６）を経て、記録起動手順記憶手段１１８から記録起動手順を呼び出し（Ｓ３０７）記録系の最適化ステップ（Ｓ３０８）と、光ディスク１０１に記録されている所望の情報信号をデータ記憶手段１１７に格納する（Ｓ３０９）。
【００３７】
本実施形態の構成によると、例えば再生系の最適化と記録系の最適化とを再生途中で行う場合等では、モータ駆動ステップ（Ｓ３０１）、レーザ駆動ステップ（Ｓ３０２）、フォーカス駆動ステップ（Ｓ３０３）、及びトラッキング駆動ステップ（Ｓ３０４）を経ることなく、直接再生系の最適化及び記録系の最適化を行えるため、再生途中での再生系の最適化及び記録系の最適化に要する時間を、実施形態１の構成に特別のアルゴリズムを備えた場合とほぼ同じ時間が短縮できるが、実施形態１のように特別にアルゴリズムを設ける要請も抑制できる。
【００３８】
（実施の形態３）
次に、光ディスクの操作者が記録指令を指示した時における光ディスク装置の起動手順の一例を図１及び図４を参照しながら説明する。光ディスク装置が記録指令を受けると、コントロール手段１１６は再生起動手順記憶手段１１８に格納している再生起動手順を呼び出し（Ｓ２０１）、スピンドルモータ制御手段１１２に制御信号を送信し、スピンドルモータ駆動手段１１０の駆動によりスピンドルモータ１０９を駆動（Ｓ２０２）する。
【００３９】
次に、コントロール手段１１６は光ヘッド１０２に内蔵する不図示のレーザ光源を発光（Ｓ２０３）させ、光ディスク１０１の情報層に光ビームを照射する。次に、コントロール手段１１６はフォーカス制御手段１０４に信号を送信し、フォーカスアクチュエータ駆動手段１０５の駆動（Ｓ２０４）を行い、光スポットを光ディスク１０１の情報層に収束させる。次に、トラッキング制御手段１０７に信号を送信し、トラッキング駆動手段１０８の駆動（Ｓ２０５）を行い、光スポットを光ディスク１０１の情報トラックに追従させる。しかる後、コントロール手段１１６は光ヘッド１０２に備える対物レンズと光ディスク１０１の情報層との間隙を、例えば図６のａ点にする再生系の最適化（Ｓ２０６）を行う。
【００４０】
次に、コントロール手段１１６が記録起動手順記憶手段１１９に格納している記録駆動手順を呼び出し（Ｓ２０７）、例えば図７のｂ点をフォーカス制御手段１０４に入力する記録系最適化（Ｓ４０８）を行うと共に、当該記録手順呼び出しステップ（Ｓ２０７）及び記録系最適化ステップ（Ｓ２０８）に並行して、光ディスク１０１に記録する所定の情報信号をデータ記憶手段１１７に格納（Ｓ２０９）を行う。こうして、光ディスク装置の起動手順の終了と共に光ディスク１０１に所定の情報信号を光ヘッド１０２を介して記録する。
【００４１】
本実施形態の構成によると、再生系の最適化情報を記録系の最適化にも流用できるため、記録系の最適化ステップ（Ｓ４０８）に要する最適化時間を短縮することができ、光ディスク装置の起動から光ディスク１０１に情報信号を実記録するまでの起動時間を、従来の約半分に低減できる効果がある。なお、上記説明では、スピンドルモータ起動ステップ（Ｓ４０２）からトラッキング駆動ステップ（Ｓ４０５）まではコントロール手段１１６による制御を行う例を挙げたが、再生起動手順記憶手段１１８に格納する再生起動手順に応じて制御すると、さらに起動期間の短縮が図られ、従来技術の半分以下にすることができる。また、本実施形態では、例えば同一ゾーン内では再生系の最適化及び記録系の最適化条件が同一の場合ではゾーンが異なる度に再生系の最適化を行い記録系の最適化の間に当該ゾーンに記録する情報信号をデータ記憶手段１１７に順次格納する等を行えるため、情報信号を途切れなく記録できる効果もある。
【００４２】
なお、図４に示したフローでは、再生系の最適化と記録系の最適化とを記録途中で行う場合には、モータ起動ステップ（Ｓ４０２）、レーザ駆動ステップ（Ｓ４０３）、フォーカス駆動ステップ（Ｓ４０４）、及びトラッキング駆動ステップ（Ｓ４０５）をその都度繰り返すことになるが、記録途中で再生系の最適化及び記録系の最適化を行う場合には、記録途中であるという情報によって上記４つのステップを省略するアルゴリズムを組むと、再生系の最適化及び記録系の最適化に要する時間がさらに短縮できる。また、上記フローは、例えばテレビ番組等の外部機器からの情報信号を光ディスク１０１に記録する場合、及び、例えば光ディスク１０１の空き領域に同一光ディスク１０１に記録されている所望の情報信号を編集する場合にも適用できるが、光ディスク１０１に記録する情報信号が外部機器から入力される場合では、データ記憶手段１１７の記憶容量に余裕があれば、記録信号のデータ記憶手段１１７への記録ステップ（Ｓ４０９）を再生手順呼出ステップ（Ｓ４０１）の直前または直後の何れかから始めても良い。
【００４３】
（実施の形態４）
次に、光ディスクの操作者が再生指令を指示した時の、別の実施形態を図１及び図５を参照して説明する。なお、本実施形態に適用する光ディスク装置の構成は実施形態１と同一であるため、光ディスク装置の構成の説明は割愛する。本実施形態において異なる点は、再生起動手順を再生起動手順記憶手段１１８からコントロール手段１１６が再生起動手順を呼び出すステップ（Ｓ５０５）を、トラッキング駆動ステップ（Ｓ５０４）の後にした点である。すなわち、本実施形態では、操作者の指令によらずスピンドルモータ１０９が所定の回転数となるように、コントロール手段１１６がスピンドルモータ回転数検出手段１１１の検出結果に応じて、スピンドルモータ制御手段１１２がスピンドルモータ駆動手段１１０を制御し、スピンドルモータ１０９を回転させる（Ｓ５０１）。次に、コントロール手段１１６は光ディスク１０１の情報トラックを光ヘッド１０２が追従できる程度に、フォーカスエラー検出手段１０３の検出結果に応じてフォーカス制御手段１０４がフォーカスアクチュエータ駆動手段１０５を制御するフォーカス駆動ステップ（Ｓ５０３）を行う。
【００４４】
次に、コントロール手段１１６はトラッキングエラー検出手段１０６の検出結果に応じてトラッキング制御手段１０７がトラッキングアクチュエータ駆動手段１０８を駆動するステップ（Ｓ５０４）を行った後、コントロール手段１１６が再生起動手順記憶手段１１８から再生起動手順を呼び出し（Ｓ５０５）、実施形態３と同様に再生系の最適化ステップ（Ｓ５０６）を経て、記録起動手順記憶手段１１８から記録起動手順を呼び出し（Ｓ５０７）記録系の最適化ステップ（Ｓ５０８）と、光ディスク１０１に記録する所望の情報信号をデータ記憶手段１１７に格納する（Ｓ５０９）。
【００４５】
本実施形態の構成では、例えば再生系の最適化と記録系の最適化とを記録途中で行う場合等では、モータ駆動ステップ（Ｓ５０１）、レーザ駆動ステップ（Ｓ５０２）、フォーカス駆動ステップ（Ｓ５０３）、及びトラッキング駆動ステップ（Ｓ５０４）を経ることなく、直接再生系の最適化及び記録系の最適化を行えるため、記録途中で行う再生系の最適化及び記録系の最適化に要する時間短縮は実施形態３の構成に特別なアルゴリズムを備えた場合とほぼ同じであるが、実施形態３における構成のように特別にアルゴリズムを設ける必要を解消できる。なお、本実施形態においても実施形態３と同様に、例えばテレビ番組等の外部機器からの情報信号を光ディスク１０１に記録する場合、及び、例えば光ディスク１０１の空き領域に同一光ディスク１０１に記録されている所望の情報信号を編集する場合にも適用できるが、光ディスク１０１に記録する情報信号が外部機器から入力される場合では、データ記憶手段１１７の記憶容量に余裕があれば、記録信号のデータ記憶手段１１７への記録ステップ（Ｓ５０９）を再生手順呼出ステップ（Ｓ５０１）の直前または直後の何れかから始めても良い。
【００４６】
【発明の効果】
以上説明したように、本発明によれば光ディスク装置の起動から実再生動作または実記録動作までに要する時間を低減できる効果が得られる。
【図面の簡単な説明】
【図１】本発明の一実施形態の光ディスク装置の構成を示す要部ブロック図
【図２】同光ディスク装置の起動手順の流れ図
【図３】本発明の他の実施形態における光ディスク装置の起動手順の流れ図
【図４】本発明の別の実施形態における光ディスク装置の起動手順の流れ図
【図５】本発明の他の実施形態における光ディスク装置の起動手順の流れ図
【図６】再生時のフォーカス位置とデータエラー率とを説明する図
【図７】記録時のフォーカス位置とデータエラー率とを説明する図
【図８】従来例の光ディスク装置の構成を示す要部ブロック図
【図９】同光ディスク装置の起動手順の流れ図
【符号の説明】
１０１  光ディスク
１０２  光ヘッド
１０３  フォーカスエラー検出手段
１０４  フォーカス制御手段
１０５  フォーカスアクチュエータ駆動手段
１０６  トラッキングエラー検出手段
１０７  トラッキング制御手段
１０８  トラッキングアクチュエータ駆動手段
１０９  スピンドルモータ
１１０  スピンドルモータ駆動手段
１１１  スピンドルモータ回転数検出手段
１１２  スピンドルモータ制御手段
１１３  トラバースモータ制御手段
１１４  トラバースモータ駆動手段
１１５  トラバースモータ
１１６  コントロール手段
１１７  データ記憶手段
１１８  再生起動手順記憶手段
１１９  記録起動手順記憶手段
【図１】
2004227615.tif 000003
【図２】
2004227615.tif 000004
【図３】
2004227615.tif 000005
【図４】
2004227615.tif 000006
【図５】
2004227615.tif 000007
【図６】
2004227615.tif 000008
【図７】
2004227615.tif 000009
【図８】
2004227615.tif 000010
【図９】
2004227615.tif 000011